【手続補正書】
【提出日】平成18年12月28日(2006.12.28)
【手続補正１】
【補正対象書類名】明細書
【補正対象項目名】特許請求の範囲
【補正方法】変更
【補正の内容】
【特許請求の範囲】
【請求項１】
洗濯物を収容して洗濯を行うための回転可能な洗濯槽と、この洗濯槽内に配置された回転可能な回転翼とを備えた洗濯機であって、
上記洗濯槽内に風を送り込むことにより、上記洗濯槽内の洗濯物を乾燥させるための乾燥工程を実行可能な乾燥手段を含み、
上記乾燥工程は、上記洗濯槽を回転させる相対的に短時間の槽回転工程と、上記回転翼を回転させる相対的に長時間の翼回転工程との繰り返しを含むことを特徴とする洗濯機。
【請求項２】
上記翼回転工程は、
上記槽回転工程に続いて実行され、上記回転翼を相対的に高い回転速度で短時間回転させる第１翼回転工程と、
上記第１翼回転工程に続いて実行され、上記回転翼を相対的に低い回転速度で長時間回転させる第２翼回転工程とを含むことを特徴とする請求項１記載の洗濯機。
【請求項３】
洗濯物を収容して洗濯を行うための回転可能な洗濯槽と、この洗濯槽内に配置された回転可能な回転翼とを備えた洗濯機であって、
上記洗濯槽内に風を送り込むことにより、上記洗濯槽内の洗濯物を乾燥させるための乾燥工程を実行可能な乾燥手段を含み、
上記乾燥工程は、上記洗濯槽を回転させる槽回転工程と、上記槽回転工程に続いて実行され、上記回転翼を相対的に高い回転速度で短時間回転させる第１翼回転工程と、上記第１翼回転工程に続いて実行され、上記回転翼を相対的に低い回転速度で長時間回転させる第２翼回転工程との繰り返しを含むことを特徴とする洗濯機。
【請求項４】
洗濯物を収容して洗濯を行うための洗濯槽と、この洗濯槽内に配置された回転可能な回転翼とを備えた洗濯機であって、
上記洗濯槽内に洗濯水を溜めた状態で、上記回転翼を一定時間ずつ繰り返し回転させることにより洗い工程を実行可能な洗い手段と、
上記洗濯槽内に洗濯水を溜めていない状態で、上記一定時間よりも長い所定時間ずつ上記回転翼を繰り返し回転させつつ、上記洗濯槽内に風を送り込むことにより、上記洗濯槽内の洗濯物を乾燥させるための乾燥工程を実行可能な乾燥手段とを含むことを特徴とする洗濯機。
【請求項５】
上記乾燥工程中の上記回転翼の回転速度は、上記洗い工程中の上記回転翼の回転速度よりも低いことを特徴とする請求項４記載の洗濯機。
【請求項６】
洗濯物を収容して洗濯を行うための洗濯槽を備えた洗濯機であって、
上記洗濯槽内に温風を送り込むことにより、上記洗濯槽内の洗濯物を乾燥させるための乾燥工程を実行可能な乾燥手段と、
上記乾燥工程が終了した後、一定時間が経過しても所定の操作が行われない場合に、上記洗濯槽内の洗濯物を冷却するための冷却工程を実行可能な冷却手段とを含むことを特徴とする洗濯機。
【請求項７】
上記洗濯槽は、上部に開口を有する有底の筒状であり、正面側に所定角度だけ傾けて配置されていることを特徴とする請求項１〜６のいずれかに記載の洗濯機。
【手続補正２】
【補正対象書類名】明細書
【補正対象項目名】０００４
【補正方法】変更
【補正の内容】
【０００４】
【発明が解決しようとする課題】
この発明の目的は、洗濯物をより良好に乾燥させることができる洗濯機を提供することである。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
【課題を解決するための手段および発明の効果】
上記目的を達成するための請求項１記載の発明は、洗濯物を収容して洗濯を行うための回転可能な洗濯槽（２２）と、この洗濯槽内に配置された回転可能な回転翼（２３）とを備えた洗濯機であって、上記洗濯槽内に風を送り込むことにより、上記洗濯槽内の洗濯物を乾燥させるための乾燥工程を実行可能な乾燥手段（８，１００）を含み、
上記乾燥工程は、上記洗濯槽を回転させる相対的に短時間（1分３０秒程度）の槽回転工程と、上記回転翼を回転させる相対的に長時間（８分〜から９分程度）の翼回転工程との繰り返しを含むことを特徴とする洗濯機である。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
なお、括弧内の英数字は、後述の実施形態における対応構成要素等を表す。以下、この項において同じ。
この構成によれば、翼回転工程により洗濯槽内の洗濯物を混ぜて、洗濯物をより良好に乾燥させることができるとともに、槽回転工程により洗濯槽内の洗濯物を遠心力により分散させて、洗濯物が絡むのを防止することができる。
請求項２記載の発明は、上記翼回転工程は、上記槽回転工程に続いて実行され、上記回転翼（２３）を相対的に高い回転速度（７８ｒｐｍ程度）で短時間（３秒程度）回転させる第１翼回転工程と、上記第１翼回転工程に続いて実行され、上記回転翼を相対的に低い回転速度（１６ｒｐｍ程度）で長時間（８分３０秒程度）回転させる第２翼回転工程とを含むことを特徴とする請求項１記載の洗濯機である。
【手続補正１５】
【補正対象書類名】明細書
【補正対象項目名】００１７
【補正方法】変更
【補正の内容】
【００１７】
この構成によれば、第１翼回転工程により洗濯物の上下を入れ替えて、第２翼回転工程により洗濯槽内の洗濯物を転がすことができるので、洗濯物を良好に混ぜることができる。したがって、洗濯物をより良好に乾燥させることができる。
請求項３記載の発明は、洗濯物を収容して洗濯を行うための回転可能な洗濯槽（２２）と、この洗濯槽内に配置された回転可能な回転翼（２３）とを備えた洗濯機であって、上記洗濯槽内に風を送り込むことにより、上記洗濯槽内の洗濯物を乾燥させるための乾燥工程を実行可能な乾燥手段（８，１００）を含み、上記乾燥工程は、上記洗濯槽を回転させる槽回転工程と、上記槽回転工程に続いて実行され、上記回転翼を相対的に高い回転速度（７８ｒｐｍ程度）で短時間（３秒程度）回転させる第１翼回転工程と、上記第１翼回転工程に続いて実行され、上記回転翼を相対的に低い回転速度（１６ｒｐｍ程度）で長時間（８分３０秒程度）回転させる第２翼回転工程との繰り返しを含むことを特徴とする洗濯機である。
【手続補正１６】
【補正対象書類名】明細書
【補正対象項目名】００１８
【補正方法】変更
【補正の内容】
【００１８】
この構成によれば、請求項１および２記載の発明と同様の効果を奏する洗濯機を提供できる。
請求項４記載の発明は、洗濯物を収容して洗濯を行うための洗濯槽（２）と、この洗濯槽内に配置された回転可能な回転翼（２３）とを備えた洗濯機であって、上記洗濯槽内に洗濯水を溜めた状態で、上記回転翼を一定時間（０．８〜１．６秒程度）ずつ繰り返し回転させることにより洗い工程を実行可能な洗い手段（１００）と、上記洗濯槽内に洗濯水を溜めていない状態で、上記一定時間よりも長い所定時間（５秒程度）ずつ上記回転翼を繰り返し回転させつつ、上記洗濯槽内に風を送り込むことにより、上記洗濯槽内の洗濯物を乾燥させるための乾燥工程を実行可能な乾燥手段（８，１００）とを含むことを特徴とする洗濯機である。
【手続補正１７】
【補正対象書類名】明細書
【補正対象項目名】００１９
【補正方法】変更
【補正の内容】
【００１９】
この場合、請求項５記載の発明のように、上記乾燥工程中の上記回転翼の回転速度（１６ｒｐｍ程度）は、上記洗い工程中の上記回転翼の回転速度（８４〜１２２ｒｐｍ程度）よりも低ければ、乾燥時に洗濯物が洗濯槽の内周面で擦れて傷むのを防止することができる。
請求項６記載の発明は、洗濯物を収容して洗濯を行うための洗濯槽（２）を備えた洗濯機であって、上記洗濯槽内に温風を送り込むことにより、上記洗濯槽内の洗濯物を乾燥させるための乾燥工程を実行可能な乾燥手段（８，１００）と、上記乾燥工程が終了した後、一定時間が経過しても所定の操作（たとえば、洗濯物を洗濯槽から取り出すために蓋１２を開ける操作）が行われない場合に、上記洗濯槽内の洗濯物を冷却するための冷却工程（クールダウン工程）を実行可能な冷却手段（８，１００）とを含むことを特徴とする洗濯機である。
【手続補正１８】
【補正対象書類名】明細書
【補正対象項目名】００２１
【補正方法】変更
【補正の内容】
【００２１】
請求項７記載の発明は、上記洗濯槽は、上部に開口を有する有底の筒状であり、正面側に所定角度（５°〜２０°程度が好ましい。）だけ傾けて配置されていることを特徴とする請求項１〜６のいずれかに記載の洗濯機である。
この構成によれば、洗濯槽が正面側に傾けて配置された洗濯槽傾斜タイプの洗濯機において、洗濯物をより良好に乾燥させることができる。